(57)【特許請求の範囲】
【請求項１】
対向する２本の支柱のそれぞれに取り付けられる物干し装置であって、
両端部をそれぞれ基端部及び開放端部とする長尺体であって前記基端部と前記開放端部との間に物干し竿を保持する少なくとも１つの保持部を有するアームと、
前記対向する２本の支柱のそれぞれの垂直面に背面を当接させて固定され、所定の回転角度範囲で前記基端部を回転自在に支持する支持部材と、
前記支持部材に対する前記アームの前記基端部の回転に常に制動力を作用させる制動部材と、
を備え、
前記アームは、前記基端部に段部を有する貫通孔が配置され、
前記制動部材は、前記貫通孔の前記段部を押圧して前記アームの前記基端部の回転を規制する物干し装置。
【請求項２】
前記支持部材は、正面側に突出するボス部であって前記基端部が外嵌するボス部を備え、
前記制動部材は、前記ボス部に前記支持部材の正面側から固定されるキャップと、前記ボス部に外嵌する皿バネであって前記基端部と前記キャップとの間に位置する皿バネと、を備えた請求項１に記載の物干し装置。
【請求項３】
前記支持部材の正面における前記ボス部の周囲と前記アームの前記基端部の背面とのうち、何れか一方には前記所定の回転角度範囲に対応した円弧状の溝部を形成し、他方には前記溝部に嵌入する突起を形成した請求項１又は２に記載の物干し装置。
【請求項４】
前記溝部の少なくとも一方の端部に前記ボス部の半径方向に延出した延出部を有し、
前記延出部は、前記溝部における前記アームの回転を規制し、
前記支持部材は、前記ボス部材が前記溝部及び前記延出部を前記半径方向に沿って移動自在に支持する請求項３に記載の物干し装置。
【請求項５】
前記所定の回転角度範囲は、前記アームをその長手方向が垂直となる収納位置と水平方向に傾斜した露出位置とを両端とする請求項１乃至４の何れかに記載の物干し装置。
【発明の詳細な説明】
【技術分野】
【０００１】
この発明は、２本の柱における互いに対向する垂直面に固定されて、物干し竿を保持する物干し装置に関する。
【背景技術】
【０００２】
物干し竿を保持する物干し装置として、支持部材とアーム部材とを備えたものがある。（例えば、特許文献１参照。）支持部材を壁面や支柱等の垂直面に固定し、この支持部材に対してアーム部材をその基端部を中心に垂直面内で回転自在に支持させる。
【０００３】
物干し竿を保持するアーム部材は、例えば、斜め上方に傾斜した状態の露出位置と垂直状態の収納位置のそれぞれで選択的に固定できるようにされている。露出位置にあるアーム部材に物干し竿を保持させる一方、アーム部材を収納位置に位置させることで不使用時の収納スペースを小型化できる。
【０００４】
特に、カーポートの支柱やベランダの手摺りの支柱等の２本の柱における互いに対向する垂直面に支持部材を固定した場合、不使用時にアーム部材を収納位置に位置させることで物干し装置全体が支柱の幅内に配置され、スペースを有効活用できるとともに、外観を煩雑にすることがない。
【先行技術文献】
【特許文献】
【０００５】
【特許文献１】特開２０１１−２４４９７０号公報
【発明の概要】
【発明が解決しようとする課題】
【０００６】
しかし、従来の物干し装置では、アーム部材の基端部が支持部材に対して自由に回転できる状態で支持されているため、少なくとも露出位置との収納位置とを含む複数の位置でアーム部材の回転を規制する機構が必要になり、構造が複雑化する。また、アーム部材を収納位置から露出位置に移動させる際に、使用者が誘導しないとアーム部材が自重によって規制部に当接し、大きな衝撃音を生じるだけでなく、装置の破損の原因ともなる。
【０００７】
この発明の目的は、アーム部材が支持部材に対して自由に回転することがないようにし、構造の複雑化を防止できるとともに、アーム部材が自重によって規制部と当接しないようにして衝撃音の発生や装置の破損を防止できる物干し装置を提供することにある。
【課題を解決するための手段】
【０００８】
この発明の物干し装置は、アーム、支持部材及び制動部材を備えている。アームは、両端部をそれぞれ基端部及び開放端部とする長尺体であって基端部と開放端部との間に物干し竿を保持する少なくとも１つの保持部を有している。支持部材は、垂直面に背面を当接させて固定され、所定の回転角度範囲でアームの基端部を回転自在に支持する。制動部材は、支持部材に対するアームの基端部の回転に常に制動力を作用させる。
【０００９】
この構成により、アームは、所定の回転角度範囲内を移動する際に、常に制動部材から制動力の作用を受ける。アームの所定の回転角度範囲内における移動速度が低減され、所定の回転角度範囲の終端で停止する際の衝撃が緩和される。
【００１０】
この構成において、支持部材は正面側に突出するボス部であってアームの基端部が外嵌するボス部を備え、制動部材はボス部に支持部材の正面側から固定されるキャップと、ボス部に外嵌する皿バネであってアームの基端部とキャップとの間に位置する皿バネと、を備えたものとすることが好ましい。アームの基端部の回転に対する制動力を簡単な構成で確実に作用させることができる。
【００１１】
また、支持部材の正面におけるボス部の周囲とアームの基端部の背面とのうち、何れか一方には所定の回転角度範囲に対応した円弧状の溝部を形成し、他方には溝部に嵌入する突起を形成することが好ましい。アームの基端部の回転角度範囲を簡単な構成で所定の範囲に規定することができる。
【００１２】
さらに、溝部の少なくとも一方の端部にボス部の半径方向に延出した延出部を形成するとともに、ボス部を支持部材に対して延出部の延出方向に沿って移動自在に支持することができる。アームをボス部とともに延出方向に移動させた状態でのみ回転できるようにし、アームを収納位置又は露出位置に固定することができる。
【００１３】
また、所定の回転角度範囲は、アームをその長手方向が垂直となる収納位置と水平方向に傾斜した露出位置とを両端とすることが好ましい。アームを不使用時の収納位置と使用時の露出位置との間で基端部を中心に回転させることができる。
【発明の効果】
【００１４】
この発明によれば、アーム部材が支持部材に対して自由に回転することがないようにし、構造の複雑化を防止できるとともに、アーム部材が自重によって規制部と当接しないようにして衝撃音の発生や装置の破損を防止できる。
【図面の簡単な説明】
【００１５】
【図１】（Ａ）及び（Ｂ）は、この発明の第１の実施形態に係る物干し装置の使用状態を示す外観図である。
【図２】（Ａ）及び（Ｂ）は、同物干し装置の分解図である。
【図３】は、同物干し装置の要部の断面図である。
【図４】（Ａ）及び（Ｂ）は、この発明の別の第２の実施形態に係る物干し装置の部分断面斜視図及びアームの要部の背面図である。
【発明を実施するための形態】
【００１６】
図１（Ａ）及び（Ｂ）に示すように、この発明の第１の実施形態に係る物干し装置１０は、アーム１、支持部材２を備えている。アーム１は、両端部をそれぞれ基端部１１及び開放端部１２とする長尺体であって基端部１１と開放端部１２との中間部、及び開放端部１２に、物干し竿２００を保持する保持部１３を有している。アーム１における保持部１３の位置及び個数は、これに限るものではない。また、保持部１３は、アーム１の長手方向に直交する方向に沿ってアーム１から延出させて形成することもできる。
【００１７】
支持部材２は、例えばベランダの手摺り１００の２本の支柱１０１のそれぞれにおける互いの対向面に取り付けられる。なお、図１では、１本の支柱１０１のみを図示している。アーム１は、図１（Ａ）に示す収納位置と、図１（Ｂ）に示す露出位置と、の間で回転移動するように、基端部１１で支持部材２に回転自在に支持されている。アーム１は、収納位置で長手方向が略垂直となり、露出位置で開放端部１２を基端部１１より上方に位置するように傾斜する。アーム１は、収納位置で開放端部１２を基端部１１の直下に位置するように長手方向が垂直となるようにすることもでき、露出位置で略水平、又は開放端部１２を基端部１１より下方に位置するように傾斜させることもできる。
【００１８】
支持部材２を２本の支柱１０１のそれぞれにおける互いの対向面に取り付けることにより、アーム１が収納位置にある状態では、物干し装置１０の全体が手摺り１００よりもベランダの内側に突出することがない。このため、ベランダのスペースを有効活用できるとともに、手摺り１００の外観を煩雑にすることがない。
【００１９】
物干し装置１０は、ベランダの手摺り１００の２本の支柱１０１だけでなく、カーポートの２本の支柱にも取り付けることができ、カーポートの外観を煩雑にすることがなく、ガレージのスペースを有効活用できる。
【００２０】
図２に示すように、物干し装置１０は、アーム１、支持部材２、キャップ３、固定ボルト４、座金５Ａ，５Ｂ、皿バネ６Ａ，６Ｂ、ブッシュ７、座金８、ピン９、ナット４１、取付ネジ９１を備えている。座金５Ａ，５Ｂ、皿バネ６Ａ，６Ｂ、ブッシュ７、座金８は、何れも環状を呈している。キャップ３、固定ボルト４、皿バネ６Ａ，６Ｂ、ブッシュ７、座金８及びナット４１が、この発明の制動部材に相当する。
【００２１】
アーム１の基端部１１には、貫通孔１５が形成されている。貫通孔１５の前面側及び背面側には、径を拡大した段部１５Ａ及び１５Ｂが形成されている。アーム１の基端部１１の背面側には、円弧状の溝部１４が形成されている。溝部１４は、貫通孔１５の外側で貫通孔１５と同心上に形成されている。
【００２２】
支持部材２は、上下方向の略中央部に、前面側に突出した円筒状のボス部２１を備えている。ボス部２１には、孔部２３が支持部材２の前後方向に貫通している。支持部材２の上下の端部には、取付孔２２が形成されている。支持部材２は、取付孔２２を貫通する図示しない取付ネジを介して、背面を支柱１０１（図１参照。）の側面に接触させて取り付けられる。支持部材２の前面には、ボス部２１の上方の２箇所に穴部２４が形成されている。
【００２３】
２箇所の穴部２４のうち、アーム１の露出位置を支持部材２の左右何れに位置させるかに応じて選択される一方の穴部２４には、ピン９が嵌入する。ピン９は、ネジ９１を介して穴部２４に固定される。ピン９の外径は、アーム１の溝部１４に背面側から嵌入する大きさにされている。
【００２４】
ボス部２１は、小径部２１１、中径部２１２及び大径部２１３を備えている。小径部２１１の外径は、座金５Ａ，５Ｂ、皿バネ６Ａ，６Ｂ、ブッシュ７及び座金８の内径よりも小さくされている。中径部２１２の外径は、アーム１の貫通孔１５の内径よりも小さくされている。大径部２１３の外径は、アーム１の段部１５Ｂの内径に略等しくされている。
【００２５】
キャップ３は、背面側に開放した凹部３１、及び前面側から凹部３１に連通する孔部３２を備えている。孔部３２の前面側には、ザグリ部３２Ａが形成されている。アーム１の段部１５Ａの内径に対して、キャップ３の外径は大きく、孔部３２の内径は小さくされている。キャップの凹部３１は、段部３１Ａを備えている。段部３１Ａの内径は、支持部材２におけるボス部２１の前面に突出した凸部２１Ａの外径に等しくされている。
【００２６】
固定ボルト４は、頭部の外径をキャップ３のザグリ部３２Ａの内径に略等しくされており、軸部の長さをキャップ３のザグリ部３２Ａの底面からキャップ３の背面までの長さと支持部材２における凸部２１Ａから背面までの長さとを加算した長さよりも長くされている。
【００２７】
物干し装置１０を組み立てる際には、支持部材２の穴部２４の一方にピン９を嵌入させた後、支持部材２の背面側からネジ９１をピン９に螺合させ、ピン９を支持部材２に固定する。
【００２８】
この後、支持部材２のボス部２１に、支持部材２の前面側から、座金８、アーム１、ブッシュ７、座金５Ｂ、皿バネ６Ｂ、皿バネ６Ａ、座金５Ａの順に外嵌させる。このとき、２つの皿バネ６Ａと皿バネ６Ｂとは、互いに対向させて配置する。なお、座金５Ａ，５Ｂ及び皿バネ６Ａ，６Ｂの配置順はこれに限るものではない。また、皿バネ６Ａ，６Ｂに加えて別の皿バネを追加することもできる。
【００２９】
次いで、キャップ３の孔部３２を前面側から貫通した固定ボルト４のネジ部をボス部２１の孔部２３に挿通させ、固定ボルト４のネジ部における支持部材２の背面側に露出した部分にナット４１を締着させる。アーム１の溝部１４にピン９が嵌入した状態で、物干し装置１０が組み立てられる。アーム１は、溝部１４の角度範囲で支持部材２に回転自在にして支持される。
【００３０】
ここで、ピン９は、突起に相当する部材である。なお、アーム１にピン９を固定し、溝部１４を支持部材２の前面に形成することもできる。
【００３１】
図３に示すように、固定ボルト４の軸方向について、座金５Ａ，５Ｂ、皿バネ６Ａ，６Ｂ及びブッシュ７の長さの和は、アーム１の段部１５Ｂの長さ及びキャップ３の凹部３１の長さの和よりも長くされている。支持部材２の背面側で固定ボルト４のネジ部にナット４１を締め付けていくと、キャップ３が支持部材２の背面側に移動することによって皿バネ６Ａ，６Ｂが軸方向に圧縮されて弾性変形を生じる。皿バネ６Ａ，６Ｂは、弾性力によってアーム１の段部１５Ａをブッシュ７を介して支持部材２側に押圧する。固定ボルト４のネジ部に対するナット４１の締着量は、アーム１の回転動作を完全に規制する押圧力よりも小さい押圧力がアーム１の段部１５Ａに作用するように調整する。
【００３２】
これによって、アーム１の段部１５Ａの前面及び１５Ｂの背面には、それぞれブッシュ７及び座金８が圧接し、アーム１の支持部材２に対する回転動作に制動力が作用する。アーム１は、収納位置から露出位置に向かって自重によって自由に回転することがなく、露出位置で停止する際に、ピン９が溝部１４の端部に高速で当接することがなく、大きな衝撃音を生じることがない。これによって、動作不良や部品の破損を防止できる。また、露出位置や収納位置等の複数の位置でアームの回転を規制する機構が不要になり、構造を簡略化できる。
【００３３】
また、座金５Ａ，５Ｂ、皿バネ６Ａ，６Ｂ、ブッシュ７及び座金８は何れも環状を呈しているため、アーム１の回転角度に関わらず一定の制動力をアーム１に作用させることができ、アーム１を安定して回転させることができる。
【００３４】
図４（Ａ）及び（Ｂ）に示すように、この発明の第２の実施形態に係る物干し装置１０′は、アーム１の回転軸に直交する方向に移動自在に保持されたスライダ２５にボス部２１を形成するとともに、溝部１４に同方向の延出部を形成したものである。一例として、物干し装置１０′は、スライダ２５を支持部材２に対して垂直方向に移動自在にし、アーム１の溝部１４に垂直方向の延出部１４Ａを形成している。
【００３５】
アーム１は、収納位置から一旦上方に移動させた後にのみ露出位置に回転させることができるようになる。アーム１を収納位置で支持部材２に確実に固定させることができる。
【００３６】
なお、溝部１４においてアーム１が露出位置に回転した際のピン９が停止している位置に延出部１４Ａを形成することで、露出位置におけるアーム１の回転を規制することができ、露出位置でアーム１を確実に固定することができる。
【００３７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３８】
１−アーム
２−支持部材
３−キャップ
４−固定ボルト
６−皿バネ
９−ピン
１０−物干し装置
【図１】
0005979958.tif 000002
【図２】
0005979958.tif 000003
【図３】
0005979958.tif 000004
【図４】
0005979958.tif 000005